(57)【要約】　　　（修正有）【課題】鋼矢板から成る外壁材、及びコンクリートブロックパネルから成る外壁材の内側に硬化材を充填して構築された土木構造物、及びその構築工法を提供する。【解決手段】一方の外壁材はモジュール長さの鋼矢板１で組み立てられ、他方の外壁材はコンクリートブロックパネル２で組み立て、それぞれの内側面にアンカー材４が取り付けられている。外壁材を構成する各鋼矢板１は隣接するもの同士がジョイント部で繋がれ、上下方向に突き合わせ接続し、水平方向の腹起こし材と結合している。他方の外壁材を構成する各コンクリートブロックパネル２は水平方向及び上下方向に隣接するもの同士をブロック連結金具で結合している。【選択図】図１
2004044119.tif 000002
【特許請求の範囲】
【請求項１】
土木構造物の長手方向の両側面位置に沿って並立し相対峙する一対の外壁材の内側にコンクリート等の硬化材を充填して構築された土木構造物であって、
一方の外壁材はモジュール長さの鋼矢板で組み立てられ、他方の外壁材はコンクリートブロックパネルで組み立てられており、それぞれの内側面の一定高さ位置毎にほぼ水平姿勢のアンカー材が段階的に複数本取り付けられていること、
鋼矢板から成る外壁材を構成する各鋼矢板は水平方向に隣接するもの同士がジョイント部で繋がれ、且つ上下方向に突き合わせ接続し、水平方向の腹起こし材と結合して組み立てられていること、
コンクリートブロックパネルから成る外壁材を構成する各コンクリートブロックパネルは水平方向及び上下方向に隣接するもの同士をブロック連結金具で結合して組み立てられていること、
前記構成の一対の外壁材の内側に硬化材が段階的に充填されていることを特徴とする、土木構造物。
【請求項２】
鋼矢板から成る外壁材を構成する各鋼矢板、及びコンクリートブロックパネルから成る外壁材を構成する各コンクリートブロックパネルは、その水平縁が上下左右方向に段違いの千鳥状配置に接合されていることを特徴とする、請求項１に記載した土木構造物。
【請求項３】
鋼矢板から成る外壁材の下部は、基礎コンクリートの上に、鋼矢板の下端を挿入できる上向きに開口した溝形断面材である基礎梁が配置され、同基礎コンクリートに固定したアンカー金具によって前記基礎梁が位置決めされており、前記アンカー金具及びこれと結合した斜めのサポート材により比較的短い支柱が法面勾配で立てられ、前記支柱の間に水平方向の腹起こし材が支持され、前記基礎梁の溝内に下端を挿入した第一段目の鋼矢板は前記腹起こし材と結合して支持されていること、
各鋼矢板をその両側縁のジョイント部を利用して水平方向に隣接するもの同士を繋ぎ、且つ上下方向に順に突き合わせ接続して成る外壁材の上部は各鋼矢板の上縁部の高さを水平方向に一直線状に揃え、同上縁部の上に堤冠材が取り付けられていることを特徴とする、請求項１に記載した土木構造物。
【請求項４】
コンクリートブロックパネルから成る外壁材の下部は、基礎コンクリートの上に固定したアンカー金具、及び同アンカー金具と結合した斜めのサポート材によりブロック支持金具が法面勾配に支持され、前記ブロック支持金具によって水平方向に隣接する第一段目のコンクリートブロックパネルの両側縁部が結合され支持されていること、
ブロック連結金具により結合して順に積み重ねて成る外壁材の上部は、各コンクリートブロックパネルの上縁部の高さが水平方向に一直線状に揃えられていることを特徴とする、請求項１に記載した土木構造物。
【請求項５】
一対をなす外壁材の内側へ充填した硬化材は、少なくとも一段のアンカー材をほぼ水平な姿勢で埋め込むに足る高さを１ユニットとし、その層厚を複数に分けた分量ずつ充填し、且つ養生を行う工程を複数回繰り返して充填されていることを特徴とする、請求項１に記載した土木構造物。
【請求項６】
硬化材はコンクリートであることを特徴とする、請求項１に記載した土木構造物。
【請求項７】
硬化材は、クラッシャーランと水及びセメントから成るコンクリートであることを特徴とする、請求項１に記載した土木構造物。
【請求項８】
硬化材は、現地発生土と採石、水及びセメントから成るソイルセメントであることを特徴とする、請求項１に記載した土木構造物。
【請求項９】
土木構造物の長手方向の両側面位置に沿って並立し相対峙する一対の外壁材の内側にコンクリート等の硬化材を段階的に充填して構築される土木構造物の構築工法であって、
一方の外壁材はモジュール長さの鋼矢板で組み立て、他方の外壁材はコンクリートブロックパネルで組み立て、それぞれの内側面の一定の高さ位置毎に段階的にアンカー材をほぼ水平な姿勢で複数本取り付けること、
硬化材の充填は、少なくとも一段の高さのアンカー材をほぼ水平な姿勢で埋め込むに足る高さを１ユニットとし、充填と養生を行う工程を複数回に分けて繰り返すこと、
鋼矢板から成る外壁材の組み立ては、ジョイント部によって水平方向に繋ぎ上下方向にも突き合わせ接続した各鋼矢板を、水平方向に配置した腹起こし材と結合して、前記１ユニットの硬化材の天端よりも少なくとも一工程分だけ先行して組み立てを進めること、
コンクリートブロックパネルから成る外壁材を構成する各コンクリートブロックパネルは、水平方向及び上下方向に隣接するもの同士をブロック連結金具で結合して、前記１ユニットの硬化材の天端よりも少なくとも一工程分だけ先行して組み立てを進めること、
をそれぞれ特徴とする、土木構造物の構築工法。
【請求項１０】
鋼矢板から成る外壁材を構成する鋼矢板、及びコンクリートブロックパネルから成る外壁材を構成するコンクリートブロックパネルはそれぞれ、基礎コンクリート上の一段目に、モジュール長さ及び略１／２モジュール長さに加工した鋼矢板、又はコンクリートブロックパネルを互い違いの配置に接合し、それぞれの上縁部の継目を上下左右方向に背が低いものと背が高いものとが互い違いの配置となる段違いの千鳥状配置に形成することを特徴とする、請求項９に記載した土木構造物の構築工法。
【請求項１１】
相対峙する一対の外壁材の内側に硬化材を充填する工程は、双方の外壁材の内側にアンカー材を段階的に取り付け、硬化材は少なくとも一段のアンカー材をほぼ水平姿勢に埋設する高さまでを１ユニットとし、その層厚を複数に分けた分量ずつ充填し、振動ローラー等で転圧し、強度を発現するまで養生する工程を複数回繰り返して行い、当該土木構造物の最高高さまでを前記ユニット毎に段階的に複数回繰り返すことを特徴とする、請求項９に記載した土木構造物の構築工法。
【発明の詳細な説明】
【０００１】
【発明の属する技術分野】
この発明は、鋼矢板から成る外壁材、及びコンクリートブロックパネルから成る外壁材の２種をそれぞれ土木構造物の長手方向の両側面位置に沿って並立させ、これら相対峙する一対の外壁材の内側にコンクリート等の硬化材を充填して構築された土木構造物、及びその構築工法の技術分野に属する。
【０００２】
【従来の技術】
従来技術としては、（１）鋼矢板を外壁材として用い、その内側にコンクリートを打設してなる砂防堰堤が、特公平４−３３９２１号公報、特開平７−３７５０号公報に開示されている。
【０００３】
（２）鋼板を外壁材として用い、その内側にコンクリートを打設してなる砂防堰堤は、特公昭６１−３９２９号公報、実開昭６０−４０５３０号公報などに開示されている。
【０００４】
（３）鋼矢板を千鳥状配置に組み立てた外壁材を用い、その内側にコンクリートを打設してなる砂防堰堤は、特公平４−２７２７号公報、特公平４−４４６４４号公報などに開示されている。
【０００５】
（４）その他、コンクリートブロックパネルで双方の外壁材を組み立て、相対峙する一対の外壁材の内側にコンクリート等の硬化材を充填して構築された土木構造物及びその構築工法も、本出願人らが先に特許出願している（特願２００１−４５８５８）。
【０００６】
上記（１）〜（４）の土木構造物はいずれも、基礎地盤上に直接、鋼矢板等による外壁材の組み立てを一気に全部完成し、又は基礎地盤上に基礎フレーム等の骨組みを構築し、その骨組みに鋼矢板等を接合して外壁材を一気に全部完成し、前記外壁材の内側へコンクリートを打設して土木構造物を完成する構築工法が採用されている。
【０００７】
【本発明が解決しようとする課題】
上述した従来技術（１）〜（３）のように、基礎地盤上に直接鋼矢板等による外壁材を構築すると、一段目の鋼矢板の配置や、鋼矢板の法面勾配等を設計した通りに構築することが甚だ困難である。即ち、外壁材を所定の法面勾配で正確に定形化する（コンクリート型枠としての形を作り保持する。）現場作業が困難で手数がかかる。
【０００８】
また、外壁材の構築を頂上まで全部完成して、コンクリートの打設を構造物の最高高さまで一気に行うときは、作業用足場の用意が不可欠である上に、並立し相対峙する一対の外壁材同士をコンクリートの打設圧に耐える強度及び剛性を具備するようにタイロッド等の連結部材で強固に結合、固定するなどの補強工作が不可欠である。更に外壁材自体の変形（いわゆる孕み変形）を防ぐ強固な壁構造とする必要がある。
【０００９】
そのため、基礎地盤上に予め基礎フレーム等の骨組みを構築し、その骨組みに鋼矢板等を接合して外壁材を完成させることも行われる。しかし、この場合には部材点数及び工数が多くなってコストが嵩む。しかも前記部材点数及び工数の増加に伴い組立作業が煩雑となる。
【００１０】
ところで、砂防堰堤などの土木構造物は、土石流の発生が懸念される急峻な山間部に設置され、土石流に含まれた大小の石塊や流木などは上流側の壁面に衝突する。したがって、土木構造物の上流側の壁面は、土石流の衝突、衝撃に充分耐えるように、例えば鋼矢板で外壁材を構築することが望まれる。よって、外壁材を鋼矢板で構築した土木構造物は理にかなっている。
【００１１】
一方、上記（４）のように上流側及び下流側双方の外壁材をコンクリートブロックパネルで組み立てた土木構造物は、前記の要望に充分応えているとは言い難い。しかし、土木構造物の下流側の壁面には、石塊や流木などが衝突する懸念は皆無である。その上、この種の土木構造物が設置される位置は標高が高い場所が普通で、一般的には下から見上げる場合が多い。そこで環境に優しい景観を作るという意味からは、下流側の壁面を例えばコンクリートブロックパネルで組み立てた外壁材を採用することが望まれる。逆に、下流側の壁面に鋼矢板で組み立てた外壁材を使用することは景観上の適切を欠くと言わねばならない。
【００１２】
従って、本発明の目的は、少ない部材点数、少ない工数で外壁材の組み立てと定形化（特に第一段目）を容易に正確に行うことができ、コストの削減と作業能率の向上を可能にした土木構造物及びその構築工法を提供することである。
【００１３】
本発明の次の目的は、土石流が流れ落ちて来る上流側の外壁材はモジュール長さの鋼矢板で構築し、景観性が重視される下流側の外壁材はコンクリートブロックパネルで構築した土木構造物及びその構築工法を提供することである。
【００１４】
【課題を解決するための手段】
上記従来技術の課題を解決するための手段として、請求項１に記載した発明に係る土木構造物は、
土木構造物の長手方向の両側面位置に沿って並立し相対峙する一対の外壁材の内側にコンクリート等の硬化材を充填して構築された土木構造物であって、
一方の外壁材はモジュール長さの鋼矢板で組み立てられ、他方の外壁材はコンクリートブロックパネルで組み立てられており、それぞれの内側面の一定高さ位置毎にほぼ水平姿勢のアンカー材が段階的に複数本取り付けられていること、
鋼矢板から成る外壁材を構成する各鋼矢板は水平方向に隣接するもの同士がジョイント部で繋がれ、且つ上下方向に突き合わせ接続し、水平方向の腹起こし材と結合して組み立てられていること、
コンクリートブロックパネルから成る外壁材を構成する各コンクリートブロックパネルは水平方向及び上下方向に隣接するもの同士をブロック連結金具で結合して組み立てられていること、
前記構成の一対の外壁材の内側に硬化材が段階的に充填されていることを特徴とする。
【００１５】
請求項２記載の発明は、請求項１に記載した土木構造物において、
鋼矢板から成る外壁材を構成する各鋼矢板、及びコンクリートブロックパネルから成る外壁材を構成する各コンクリートブロックパネルは、その水平縁が上下左右方向に段違いの千鳥状配置に接合されていることを特徴とする。
【００１６】
請求項３記載の発明は、請求項１に記載した土木構造物において、
鋼矢板から成る外壁材の下部は、基礎コンクリートの上に、鋼矢板の下端を挿入できる上向きに開口した溝形断面材である基礎梁が配置され、同基礎コンクリートに固定したアンカー金具によって前記基礎梁が位置決めされており、前記アンカー金具及びこれと結合した斜めのサポート材により比較的短い支柱が法面勾配で立てられ、前記支柱の間に水平方向の腹起こし材が支持され、前記基礎梁の溝内に下端を挿入した第一段目の鋼矢板は前記腹起こし材と結合して支持されていること、
各鋼矢板をその両側縁のジョイント部を利用して水平方向に隣接するもの同士を繋ぎ、且つ上下方向に順に突き合わせ接続して成る外壁材の上部は各鋼矢板の上縁部の高さを水平方向に一直線状に揃え、同上縁部の上に堤冠材が取り付けられていることを特徴とする。
【００１７】
請求項４記載の発明は、請求項１に記載した土木構造物において、
コンクリートブロックパネルから成る外壁材の下部は、基礎コンクリートの上に固定したアンカー金具、及び同アンカー金具と結合した斜めのサポート材によりブロック支持金具が法面勾配に支持され、前記ブロック支持金具によって水平方向に隣接する第一段目のコンクリートブロックパネルの両側縁部が結合され支持されていること、
ブロック連結金具により結合して順に積み重ねて成る外壁材の上部は、各コンクリートブロックパネルの上縁部の高さが水平方向に一直線状に揃えられていることを特徴とする。
【００１８】
請求項５記載の発明は、請求項１に記載した土木構造物において、
一対をなす外壁材の内側へ充填した硬化材は、少なくとも一段のアンカー材をほぼ水平な姿勢で埋め込むに足る高さを１ユニットとし、その層厚を複数に分けた分量ずつ充填し、且つ養生を行う工程を複数回繰り返して充填されていることを特徴とする。
【００１９】
請求項６記載の発明は、請求項１に記載した土木構造物において、硬化材はコンクリートであることを特徴とする。
【００２０】
請求項７記載の発明は、請求項１に記載した土木構造物において、硬化材は、クラッシャーランと水及びセメントから成るコンクリートであることを特徴とする。
【００２１】
請求項８記載の発明は、請求項１に記載した土木構造物において、硬化材は、現地発生土と採石、水及びセメントから成るソイルセメントであることを特徴とする。
【００２２】
請求項９に記載した発明に係る土木構造物の構築工法は、
土木構造物の長手方向の両側面位置に沿って並立し相対峙する一対の外壁材の内側にコンクリート等の硬化材を段階的に充填して構築される土木構造物の構築工法であって、
一方の外壁材はモジュール長さの鋼矢板で組み立て、他方の外壁材はコンクリートブロックパネルで組み立て、それぞれの内側面の一定の高さ位置毎に段階的にアンカー材をほぼ水平な姿勢で複数本取り付けること、
硬化材の充填は、少なくとも一段の高さのアンカー材をほぼ水平な姿勢で埋め込むに足る高さを１ユニットとし、充填と養生を行う工程を複数回に分けて繰り返すこと、
鋼矢板から成る外壁材の組み立ては、ジョイント部によって水平方向に繋ぎ上下方向にも突き合わせ接続した各鋼矢板を、水平方向に配置した腹起こし材と結合して、前記１ユニットの硬化材の天端よりも少なくとも一工程分だけ先行して組み立てを進めること、
コンクリートブロックパネルから成る外壁材を構成する各コンクリートブロックパネルは、水平方向及び上下方向に隣接するもの同士をブロック連結金具で結合して、前記１ユニットの硬化材の天端よりも少なくとも一工程分だけ先行して組み立てを進めること、
をそれぞれ特徴とする。
【００２３】
請求項１０記載の発明は、請求項９に記載した土木構造物の構築工法において、鋼矢板から成る外壁材を構成する鋼矢板、及びコンクリートブロックパネルから成る外壁材を構成するコンクリートブロックパネルはそれぞれ、基礎コンクリート上の一段目に、モジュール長さ及び略１／２モジュール長さに加工した鋼矢板、又はコンクリートブロックパネルを互い違いの配置に接合し、それぞれの上縁部の継目を上下左右方向に背が低いものと背が高いものとが互い違いの配置となる段違いの千鳥状配置に形成することを特徴とする。
【００２４】
請求項１１記載の発明は、請求項９に記載した土木構造物の構築工法において、相対峙する一対の外壁材の内側に硬化材を充填する工程は、双方の外壁材の内側にアンカー材を段階的に取り付け、硬化材は少なくとも一段のアンカー材をほぼ水平姿勢に埋設する高さまでを１ユニットとし、その層厚を複数に分けた分量ずつ充填し、振動ローラー等で転圧し、強度を発現するまで養生する工程を複数回繰り返して行い、当該土木構造物の最高高さまでを前記ユニット毎に段階的に複数回繰り返すことを特徴とする。
【００２５】
【本発明の実施形態、及び実施例】
先ずは請求項９〜１１に記載した発明に係る土木構造物の構築工法の実施形態を図面に基づいて説明し、併せて請求項１〜８の発明に係る土木構造物の構成を逐次説明する。
【００２６】
本発明の構築工法は、図１に概念図を示したように、砂防堰堤のような土木構造物Ｗの長手方向の両側面に相当する外面位置に沿って並立し相対峙する一対の外壁材１、２を段階的に構築し、その内側に、コンクリート等の硬化材３を段階的に充填して同土木構造物Ｗを構築する工法である。一方（上流側）の外壁材１はモジュール長さの鋼矢板１３で組み立て、他方（下流側）の外壁材２はコンクリートブロックパネル２１で組み立てることを特徴とする。
【００２７】
しかも、各外壁材１、２の内側面には一定の高さ位置毎に段階的にアンカー材４…をほぼ水平な姿勢に複数本ずつ取り付け、これを硬化材３の中に埋め込み、強度を発現した硬化材３のアンカー作用で外壁材１、２の自立支持及び形態保持を行うことも特徴としている。図１中の符号５は基礎コンクリートを指す。
【００２８】
以下、更に具体的な説明を進める。
先ず、モジュール長さの鋼矢板１３で組み立てる外壁材１の構築について説明する。図２は鋼矢板１３で組み立てた外壁材１の完成状態の一例を部分的に示し、図３〜図５は同外壁材１の組み立て要領を示している。
【００２９】
図３と図４は、基礎コンクリート５の上に外壁材１の第一段目の組み立てを行った状況を示している。基礎コンクリート５の構築に際して予め埋め込みアンカーを用意するか、又は完成した基礎コンクリート５にアンカー用孔を削孔して彫り込みアンカーを用意するなどし、そのアンカーボルト６を利用して、アングル等によるアンカー金具７の内側端部を固定する。同アンカー金具７の外側端部に、鋼矢板の下端を挿入できその位置を定める上向きに開口した溝形断面材である基礎梁８がほぼ直角な向き（土木構造物Ｗの長手方向）に連結されている。前記アンカー金具７…により、基礎梁８の位置決め固定が行われる。
【００３０】
前記アンカー金具７は、支柱１１の設置位置と対応する間隔（約２ｍ）で基礎梁８の長手方向に複数設置されている。下端を前記アンカー金具７とボルト止め等の手段で結合した斜めのサポート材１０の上端部と、やはり下端部を基礎梁８の溝内へ挿入して外壁材断面のセンター位置へボルト止め等により位置決めした支柱１１の上部とを交わらせ、ボルトで固定する等の手法により、支柱１１は当該土木構造物Ｗについて設計された法面勾配に立てられ強固に支持される。支柱１１にはアングル材等が使用され、後記する標準モジュール寸法（一例として長さ約１ｍ）の鋼矢板１３Ａよりも少し長い程度で、言うなれば外壁材１の下部の一段目のみを支持する程度の比較的短い支柱として立てられている。
【００３１】
上記のようにして立てた各支柱１１、１１…の間に、第一段目及び第二段目の腹起こし材１２ａと１２ｂがそれぞれ水平方向に配置されボルト止め等の手段で結合して架設支持されている。腹起こし材１２には通例アングル材が使用され、その上辺が水平面となる態様で支柱１１へ取り付けられる。
【００３２】
前記第一段目及び第二段目の腹起こし材１２ａ、１２ｂの取り付け位置について説明する。第二段目の腹起こし材１２ｂは、図４の（イ）列の位置に建てた標準モジュール寸法の鋼矢板１３Ａの上縁部よりも少し下がった位置にほぼ水平に配置され、（ロ）列の位置の鋼矢板１３Ａとのみボルト止め等による結合が行われる。第一段目の腹起こし材１２ａは、前記第二段目の腹起こし材１２ｂの位置よりはずっと下方の約１／４高さ付近の位置、即ち、基礎コンクリート５の上に建てた（ロ）列の略１／２モジュール長さの鋼矢板１３Ｂとのボルト止め等による結合が可能な高さ位置に設置される。図２中の符号１５は腹起こし材同士の接続金物を指している。
【００３３】
次に、基礎コンクリート５の上に第一段目の外壁材１を鋼矢板１３で組み立てる要領を、図３と図４に基づいて説明する。
【００３４】
鋼矢板１３としては、軽量型で本発明が標準と定めたモジュール長さ寸法（以下、標準モジュール寸法と云う＝長さ約１ｍ、幅寸は３５５ｍｍ、厚さ５〜６ｍｍ）の標準鋼矢板１３Ａと、長さ寸法が約１／２モジュール寸法（長さ約５０ｃｍ）の短いハーフ鋼矢板１３Ｂの２種を使用する。第一段目の鋼矢板１３Ａと１３Ｂは、下端をそれぞれ、基礎コンクリート５上の基礎梁８の溝内へ挿入して互い違いに配置する。隣接する鋼矢板１３Ａと１３Ｂ同士はその両側縁に有するグリップ形状のスライドジョイント部３０（図５を参照）を接合して、上記の支柱１１の傾斜に沿って建て込む。図４中の（ロ）の列に属するハーフ鋼矢板１３Ｂは、前記第一段目の腹起こし材１２ａとボルト止め等の手段で結合する。（イ）の列に属する標準鋼矢板１３Ａは第一段目及び第二段目の腹起こし材１２ａ、１２ｂのいずれとも結合しない。鋼矢板の建て込み時にスライドジョイント部３０に必要な自由度を残すためである。
【００３５】
前記（ロ）の列に属するハーフ鋼矢板１３Ｂの上に、標準モジュール寸法の標準鋼矢板１３Ａをもう１枚建て込み、これを第二段目の腹起こし材１２ｂと結合して、第一段目の鋼矢板の組立作業を終了する。
【００３６】
したがって、一段目の各鋼矢板の上縁部（つまり、上下の鋼矢板同士の継目１４に相当）は、図４に示した通り、上下左右方向に背が低いものと背が高いものとが互い違いの配置、即ち段違いの千鳥状配置に形成される（請求項２又は１０記載の発明）。一段目以上の外壁材１の組み立ては標準鋼矢板１３Ａのみで行う。ハーフ鋼矢板１３Ｂは最上段部の組み立てにおいて使用することになる。
【００３７】
図３、図４に示すように鋼矢板の第一段目の組み立てを完成した状態で、最初の１ユニットの硬化材充填工程を実施する。但し、このときには既に、反対側のコンクリートブロックパネルによる外壁材２の組み立ても、同じく第一段目の組み立てを終えているのであるが、便宜上その図示、説明は後述する。要するに、本発明の構築工法の実施においては、相対峙する一対の外壁材１、２の組立作業は同時並行作業として効率良く行われる。
【００３８】
硬化材３としては、通常コンクリートを使用することが多い（請求項６に記載した発明）が、クラッシャーランと水及びセメントから成るコンクリート（請求項７に記載した発明）、又は現地発生土と採石、水及びセメントから成るソイルセメント（請求項８に記載した発明）などを、施工場所等の条件に応じて適宜選択して使用する。
【００３９】
硬化材３を充填する工程は、一対をなす外壁材１、２の内側へ、少なくとも一段のアンカー材４をほぼ水平な姿勢で埋め込むに足る高さ（通例１００ｃｍ程度）を１ユニットとして実施する。また、１ユニットの施工は、その層厚を複数に分けた分量ずつに区分して充填し、転圧して養生を行う工程を、当該１ユニットの高さまで複数回に分けて繰り返し行う（請求項５に記載した発明）。
【００４０】
更に具体的に図３、図４の実施形態に基づいて硬化材３の充填工程を説明する。
基礎コンクリート５の上面から第二段目の腹起こし材１２ｂの位置（つまり、外壁材１側の第一段目のアンカー材４の取付け位置）を少し超える垂直高さＬ１（約１００ｃｍ）のレベルまで（図４中（イ）列の標準鋼矢板１３Ａの上縁近傍位置まで）を、硬化材３の１ユニットの充填作業として行う。この第一段階の充填作業は、具体的には前記１ユニットの充填層厚（約１００ｃｍ）を例えば２５ｃｍずつ４回に小分けして段階的に進める。その理由は、硬化材３を一定の層厚に充填した後、その層の硬化材３を集中的に振動ローラー等で転圧し、強度を発現するまで養生する工程を効果的に行う配慮による。
【００４１】
１ユニットの充填工程の終局に相当する第４回目の充填作業に先立ち、直前の充填工程で強度を発現し硬化した硬化材３の上面を作業員の足場に利用して、第二段目の腹起こし材２ｂの予め用意した取付用孔へアンカー材４の一端を引っ掛けて止める等の手法で第一段目のアンカー材４を取り付ける。そして、同アンカー材４を例えば上方からワイヤーで吊るなどして略水平姿勢に保ち、レベルＬ１までの硬化材３の充填工程を進める。この硬化材３の充填及び転圧、養生の工程を遂行することにより、第一段目のアンカー材４はほぼ水平な姿勢に硬化材３の中に埋設され、その後強度を発現した硬化材３によるアンカー作用を受ける。よって、このアンカー材４は次上位の外壁材１（第二段目の組み立て状態にある鋼矢板）の自立支持及び形状保持機能を働く。
【００４２】
上記したように硬化材３をレベルＬ１まで充填する工程の間、第一段目まで組み立てられた外壁材１（鋼矢板）は、硬化材３の充填圧力、及び転圧等による圧力などに対する耐力、及び剛性（形態保持性能）を、基礎コンクリート５へアンカーしたアンカー金具７とサポート材１０及び支柱１１、並びに同支柱１１…の間へ水平方向に取り付けた腹起こし材１２ａ、１２ｂによる架構で確保する。第二段目以上に組み立てた外壁材１（鋼矢板）の耐力及び剛性は、上記したように直前のレベルＬ１まで充填した硬化材３の中に埋設され強度を発現した硬化材３のアンカー作用を受けるアンカー材４の支持力によって付与される。
【００４３】
上記のようにして最初の１ユニットのレベルＬ１まで硬化材３を充填し、その強度が発現した段階で、前記レベルＬ１の硬化材３の上面を作業員の足場に利用して、第二段目の鋼矢板の組み立てが行われる。
【００４４】
図４に符号（イ）で示した列の背が低い鋼矢板１３Ａの上に、矢印Ｙで示したように、標準モジュール寸法の鋼矢板１３Ａ…を、両隣の１／２モジュール長さ分だけ上方へ突き出ている符号（ロ）の列の鋼矢板１３Ａ、１３Ａのジョイント部３０（図５を参照）との接合を行いつつ順次建て込んで継ぎ足す。続いて、前記建て込みの結果相対的に背が低くなった符号（ロ）の列の鋼矢板１３Ａの上に、標準鋼矢板１３Ａを両隣の鋼矢板のジョイント部３０との接合を行いつつ順次建て込んで継ぎ足す。そして、先に（イ）の列に建て込んだ二段目の鋼矢板１３Ａの上縁より少し下がった位置に三段目の腹起こし材１２ｃを配置し、今度も（ロ）の列の鋼矢板とのみ結合を行って第二段目の鋼矢板の組み立てが終わる。
【００４５】
結局、二段目の鋼矢板も（ロ）の列の鋼矢板が１／２モジュール寸法だけ先行して背が高く構築される。鋼矢板による外壁材１の組み立ては、以下同様の作業工程を繰り返して行われる。よって各鋼矢板の上縁部（継目）は上下左右に互い違いの配置（千鳥状配置）に組み立てられる。
【００４６】
上記外壁材１の二段目の組み立て作業のときも、作業員は、レベルＬ１まで先行して充填し硬化した硬化材３の上面を足場に利用できるから、外壁材組み立て用の作業足場を用意する必要はない。標準モジュール寸法の鋼矢板１３Ａは軽量型（軽量鋼矢板）であるから、人手により容易に運搬や持ち上げ等することができ、重機類を必要としない。
【００４７】
上記のとおり、外壁材１を構成する各鋼矢板の上縁部は、常に上下左右に段違いの千鳥状配置に接合して組み立てが進められる（請求項２又は１０に記載した発明）から、外壁材１の剛性度は平均して高い。また、外壁材１の組み立ては、標準モジュール寸法の鋼矢板１３Ａの長さ（約１００ｃｍ）を１ユニットとして行う硬化材３の充填工程よりも、一工程分先行して行われる。腹起こし材１２の上下方向ピッチも約１００ｃｍ間隔となる。腹起こし材１２の位置毎に段階的に取り付けを行う各段のアンカー材４の上下方向間隔も約１００ｃｍに配置されることになる。
【００４８】
以下、次の１ユニットの硬化材３の充填工程を、アンカー材４の設置と併せて上述した内容で行う。更に鋼矢板１３の組み立てを一工程先行して行う構築作業を、順次当該土木構造物Ｗの最高高さまで繰り返すことになる。
【００４９】
但し、外壁材１の上端部分の組み立てに関しては、図２に示したように、再び標準モジュール寸法の１／２長さのハーフ鋼矢板１３Ｂを併用することにより、上縁を水平方向に一直線状に揃える。この上縁部の上にアングル材等を使用した堤冠材１６を取り付ける。硬化材３は、この堤冠材１６と同等レベルまで充填される（請求項１に記載した発明）。
【００５０】
次に、コンクリートブロックパネルで組み立てる外壁材２の構築について説明する。図６はコンクリートブロックパネル２１で組み立てた外壁材２の完成状態の一例を部分的に示し、図７〜図１０は同外壁材２の組み立て要領を示している。
【００５１】
図７と図８は、基礎コンクリート５の上に外壁材２の第一段目の組み立てを行う状況を示している。基礎コンクリート５の構築に際して予め埋め込みアンカーを用意するか、又は完成した基礎コンクリート５にアンカー用孔を削孔して彫り込みアンカーを用意するなどし、そのアンカーボルト６を利用して、アングル等によるアンカー金具７の内側端部を固定する。
【００５２】
前記アンカー金具７は、当該土木構造物Ｗの長手方向に、コンクリートブロックパネルの横長（約１．５ｍ）と同等の間隔をあけて複数設置されている。下端を前記アンカー金具７とボルト止め等の手段で結合した斜めのサポート材１０の上端部と、やはり下端部を前記アンカー金具７の外端とボルト止め等により連結したブロック支持金具２０の上部とを交わらせ、ボルトで固定する手法により、ブロック支持金具２０が当該土木構造物Ｗについて設計された法面勾配に立てられ強固に支持される。このブロック支持金具２０には、通例一対の不等辺山形鋼を各々の一辺の平面が前記法面勾配の傾斜面を上下方向に形成するように背中合わせの態様で使用される。ブロック支持金具２０は、後記する標準モジュール寸法（一例として高さ約１ｍ）の１／２高さのハーフ型コンクリートブロックパネル２１Ｂの高さよりも少し短い程度の高さとされている。
【００５３】
第一段目のコンクリートブロックパネルの組み立ては、上記のようにして立てた各ブロック支持金具２０…の間に１枚ずつ、鉄筋コンクリート造のプレキャスト製品であるコンクリートブロックパネル、即ち、本発明が標準と定めたモジュール高さ寸法（以下、標準モジュール寸法と云う＝高さ約１ｍ、横幅寸法は約１．５ｍ、厚さ１５０ｍｍ）の標準型コンクリートブロックパネル２１Ａと、高さ寸法が約１／２モジュール（約５０ｃｍ）のハーフ型コンクリートブロックパネル２１Ｂの２種を使用して行う。第一段目には２種のコンクリートブロックパネル２１Ａと２１Ｂを互い違いに配置する。そして、隣接するコンクリートブロックパネル２１Ａと２１Ｂは、その両側縁部を該当位置のブロック支持金具２０の法面勾配の傾斜面に沿って基礎コンクリート５の上に建て込み、それぞれを各ブロック支持金具２０とボルト止め等の手段で結合する。したがって、一段目の各コンクリートブロックパネルの上縁部は、図８に示す通り、背が低い（ハ）列のものと背が高い（ニ）列のものとが互い違いの配置、即ち上下方向に段違いの千鳥状配置に形成される（請求項２又は１０記載の発明）。
【００５４】
図８の（ハ）列のハーフ型コンクリートブロックパネル２１Ｂの上に、矢印ｕで示すように標準型コンクリートブロックパネル２１Ａを積み重ねた状態を、第一段目の組み立て状態とする。この第一段目の組み立て状態で、最初の１ユニットの硬化材充填工程を実施する。このときには既に、反対側の鋼矢板による外壁材１の組み立ても、同じく第一段目の組み立てを終えていることは既に説明した。
【００５５】
硬化材３を充填する工程については、既に段落番号［００３７］〜［００４５］において詳しく説明したので、省略する。
【００５６】
なお、外壁材２を構成する標準型コンクリートブロックパネル２１Ａには上下２段に、ハーフ型コンクリートブロックパネル２１Ｂには中間に一段のみ、それぞれの内側面にリング金物２２が用意され、このリング金物２２へ一端部を掛け止める要領で各段のアンカー材４が段階的に取り付けられる。そのため外壁材２における硬化材３の充填工程は、前記アンカー材４の取り付けピッチにしたがい、標準型コンクリートブロックパネル２１Ａの高さ約１００ｃｍを１ユニットの充填工程として作業を進める。１ユニットの硬化材３が強度を発現し硬化した段階で、二段目の外壁材の組み立てを一工程分先行して進める。
【００５７】
基礎コンクリート５上の最初の１ユニットの硬化材充填工程における外壁材２の支持及び形状保持は、アンカー金具７とサポート材１０及びブロック支持金具２０とから成る架構によって行われる。
【００５８】
上記のようにして図７のレベルＬ１’及びＬ１までを１ユニットとして硬化材３を充填し、その強度が発現した段階で、前記レベルＬ１の硬化材３の上面を足場にして、第二段目の外壁材２の組み立てを行う。
【００５９】
図示した標準型コンクリートブロックパネル２１Ａ及びハーフ型コンクリートブロックパネル２１Ｂは共に、図９と図１０に示したように、その上下の辺、及び左右の両側辺に、積み重ね作業の位置決めを容易にし、且つ積み重ね状態の位置ズレを防いで安定化させる、階段状の凹凸Ｐ、ＱとＭ、Ｎを備えており、これらを重ね合わせて（又は接合して）上下左右の積み重ねと接合を行う。しかも各コンクリートブロックパネル２１の両側部にはそれぞれ、内側面の上半分から約１／２モジュール寸法だけ上方に突き出るアングル形状のブロック連結金具２３を備えている。
【００６０】
したがって、上下左右に互い違いに積み重ねたコンクリートブロックパネル２１は、左右に隣り合うブロック連結金具２３、２３の上下を、平板状の短い連結板２４を介してボルト止め等の手段で結合することにより、強固な壁構造を容易に組み立てることができる。
【００６１】
以下、硬化材３の充填工程をアンカー材４の設置と併せて上述した内容で１ユニットずつ行い、更にコンクリートブロックパネル２１の組み立てを一工程分先行して行う組立作業を、当該土木構造物Ｗの最高高さまで繰り返す。
【００６２】
この外壁材２の場合にも、図６に示したように、最終段階では再びハーフ型コンクリートブロックパネル２１Ｂを使用して上縁部を水平方向に一直線状に揃える。硬化材３はこの上縁部と同等レベルまで充填される（請求項１に記載した発明）。
【００６３】
【本発明の奏する効果】
請求項１〜８に記載した発明に係る土木構造物及び請求項９〜１１に記載した発明に係る構築工法は、一対をなす外壁材１、２の組み立てを一方はモジュール長さの鋼矢板を使用して、他方はコンクリートブロックパネルを使用して、それぞれ同時に並行して一段ずつ行い、硬化材３の充填は前記一段の高さを１ユニットとして複数回に分けてアンカー材の取付けと共に外壁材１、２の内側へ充填して構築を段階的に進めるため、外壁材のむやみな補強、補剛工作や作業用足場の用意などが無用であり、少ない部材点数、少ない工数で土木構造物を構築することができ、コストの削減と作業効率の向上が可能である。
【００６４】
しかも本発明に係る土木構造物は、土石流が流れ落ちて来る上流側の外壁材１をモジュール長さの鋼矢板で構築したので、土石流衝突の衝撃力から構造物を保護することができる。また、景観性が重視される下流側の外壁材２はコンクリートブロックパネルで構築したから、環境に優しい景観を作ることができる。よって、本発明の土木構造物は、機能性と景観性の双方に優れた合理的な構成である。のみならず、鋼矢板による外壁材は、土石流などにより部分的に破壊されたりしたときには、その破壊部分の鋼矢板を取り替えて修復し再利用するメンテナンス性に優れる。他方、コンクリートブロックパネルによる外壁材は、コンクリートが腐食等の心配がなく半永久的な材料であるから、メンテナンスフリーの利点がある。
【図面の簡単な説明】
【図１】本発明に係る土木構造物を示した断面図である。
【図２】鋼矢板による外壁材の構造を示した斜視図である。
【図３】鋼矢板による外壁材を一段目まで組み立てた状況を示す側面図である。
【図４】鋼矢板による外壁材を一段目まで組み立てた状況を示す外側面図である。
【図５】鋼矢板による外壁材の組み立て状況を示した平面図である。
【図６】コンクリートブロックパネルによる外壁材の構造を示した斜視図である。
【図７】コンクリートブロックパネルによる外壁材を一段目まで組み立てた状況を示す側面図である。
【図８】コンクリートブロックパネルによる外壁材を一段目まで組み立てた状況を示す内側面図である。
【図９】コンクリートブロックパネルによる外壁材の組み立て状況を示した斜視図である。
【図１０】コンクリートブロックパネルの構造を示した斜視図である。
【符号の説明】
Ｗ　　　　　　　土木構造物
１　　　　　　　　鋼矢板による外壁材
２　　　　　　　コンクリートブロックパネルによる外壁材
３　　　　　　　硬化材（コンクリートなど）
１３　　　　　　鋼矢板
２１　　　　　　コンクリートブロックパネル
４　　　　　　　アンカー材
３０　　　　　　ジョイント部
１２　　　　　　腹起こし材
２３　　　　　　ブロック連結金具
２４　　　　　　連結板
５　　　　　　　基礎コンクリート
８　　　　　　　基礎梁
６　　　　　　　アンカーボルト
７　　　　　　　アンカー金具
１０　　　　　　サポート材
１１　　　　　　支柱
１６　　　　　　堤冠材
２０　　　　　　ブロック支持金具
【図１】
2004044119.tif 000003
【図２】
2004044119.tif 000004
【図３】
2004044119.tif 000005
【図４】
2004044119.tif 000006
【図５】
2004044119.tif 000007
【図６】
2004044119.tif 000008
【図７】
2004044119.tif 000009
【図８】
2004044119.tif 000010
【図９】
2004044119.tif 000011
【図１０】
2004044119.tif 000012